(57)【要約】【課題】安価で小型な磁気センサを用いて多様な方向の磁界を検出することができる磁気検出手段を備えた弾球遊技機を提供する。【解決手段】複数の入賞口が配設された遊技盤と、この遊技盤に配設された磁気検出手段とを備えた弾球遊技機であって、前記磁気検出手段は、磁界の検出方向に指向性を有する複数の磁気センサを備え、これら複数の磁気センサの指向性の方向をそれぞれ異ならせて配置して構成した。【選択図】図３
2009022544.tif 000002
【特許請求の範囲】
【請求項１】
複数の入賞口が配設された遊技盤と、該遊技盤に配設された磁気検出手段と、を備えた弾球遊技機であって、
前記磁気検出手段は、磁界の検出方向に指向性を有する複数の磁気センサを備え、
該複数の磁気センサの指向性の方向をそれぞれ異ならせて配置されてなることを特徴とする弾球遊技機。
【請求項２】
前記磁気検出手段は、前記複数の磁気センサが単一の基板に配置されてなることを特徴とする請求項１に記載の弾球遊技機。
【請求項３】
前記磁気検出手段は、指向性の方向がそれぞれ略直交するように配置される３つの前記磁気センサを備えてなることを特徴とする請求項１又は請求項２に記載の弾球遊技機。
【発明の詳細な説明】
【技術分野】
【０００１】
本発明は、磁石等による不正行為を検知するための磁気検出手段を備えた弾球遊技機に関する。
【背景技術】
【０００２】
一般に、弾球遊技機のひとつであるパチンコ機は、遊技盤に発射された遊技球を強力な磁石により遊技機の前面に配設されているガラス板等を介して吸引して、確保した遊技球を入賞口へと誘導することにより不正に賞球を獲得する、いわゆる磁石ゴトと呼ばれる不正行為を検知するための磁気検出手段を備えている。
【０００３】
例えば、特開２００５−１３７８７７号公報には、磁気センサとして磁気検知用リードスイッチ（同公報図４参照）を用いて構成した遊技機の不正磁気検知センサー（磁気検出手段）の発明が開示されている。この公報に記載されている類の磁気検知用リードスイッチは、安価で極めて小型に構成することができることから、広く実用に供されているものである。
【０００４】
【特許文献１】特開２００５−１３７８７７号公報
【発明の開示】
【発明が解決しようとする課題】
【０００５】
上述した特許文献１に記載されている磁気検知用リードスイッチ（磁気センサ）は、微小空隙を介して対向する磁性材製の２つの磁気検出片が、不正目的で遊技機に接近される磁石の磁界により磁気誘導される磁極の吸引力により磁気検出片同士が接触して信号を発生させるものであり、検出可能な磁界の方向に指向性がある。即ち、図６（ａ）に示すように、微小な空隙を介して対向する２つの磁気検出片１００ａ、１００ｂに対して、図中矢符Ａで示すような磁気検出片１００ａ、１００ｂの厚さ方向に磁力線が鎖交する（作用する）方向の磁界が接近したときは、磁石Ｍ側の磁気検出片１００ｂの磁石Ｍ側の面にＳ極が磁気誘導され、反対側の磁気検出片１００ａ側の面にＮ極が磁気誘導される。同様に他方の磁気検出片１００ａの磁気検出片１００ｂと対向している側の面にもＳ極が磁気誘導され、その反対側の面にはＮ極が磁気誘導される。従って、磁気検出片１００ａの磁気検出片１００ｂに対向する面に磁気誘導されたＳ極と磁気検出片１００ｂの磁気検出片１００ａに対向する面に磁気誘導されたＮ極とが引き合って接触し、スイッチＯＮ状態となって信号を発生させる。
【０００６】
然しながら、図６（ｂ）に示すように、不正目的で接近した磁石Ｍの磁界の方向が、図中矢符Ｂで示すような磁気検出片１００ａ、１００ｂの長手方向に鎖交する場合、又は、図示しないが磁気検出片１００ａ、１００ｂの幅方向に鎖交する場合は、図６（ａ）で説明したような磁気誘導が起こらず、スイッチＯＮ状態にならない。
【０００７】
つまり、この従来の磁気検知用リードスイッチは、図６（ａ）に示すような２つの磁気検出片１００ａ、１００ｂの厚さ方向に作用する磁界（磁力線）に指向性があり、全ての方向の磁界を検出することが困難であるという課題があった。
また、磁界の検出方向にほとんど指向性がなく略全方向の磁界を検出できる磁気検出器は、構造が複雑かつ大型で高価である。
【０００８】
本発明はこのような課題を解決するためになされたものであり、安価で小型な磁気センサを用いて多様な方向の磁界を検出することができる磁気検出手段を備えた弾球遊技機を提供することを目的とする。
【課題を解決するための手段】
【０００９】
このような課題を解決するために請求項１に記載の発明は、複数の入賞口が配設された遊技盤と、該遊技盤に配設された磁気検出手段と、を備えた弾球遊技機であって、前記磁気検出手段は、磁界の検出方向に指向性を有する複数の磁気センサを備え、該複数の磁気センサの指向性の方向をそれぞれ異ならせて配置されてなることを特徴とする。
【００１０】
請求項２に記載の発明は、請求項１に記載の弾球遊技機において、前記磁気検出手段は、前記複数の磁気センサが単一の基板に配置されてなることを特徴とする。
【００１１】
請求項３に記載の発明は、請求項１又は請求項２に記載の弾球遊技機において、前記磁気検出手段は、指向性の方向がそれぞれ略直交するように配置される３つの前記磁気センサを備えてなることを特徴とする。
【発明の効果】
【００１２】
請求項１に記載の発明に係る弾球遊技機によれば、複数の入賞口が配設された遊技盤と、この遊技盤に配設された磁気検出手段と、を備えた弾球遊技機であって、磁気検出手段が、磁界の検出方向に指向性を有する複数の磁気センサを備え、これら複数の磁気センサの指向性の方向をそれぞれ異ならせて配置されているので、安価で小型な磁気センサを用いて多様な方向の磁界を検出することができる磁気検出手段を備えた弾球遊技機を提供することができる。
【００１３】
請求項２に記載の弾球遊技機によれば、上記請求項１に記載の発明の効果に加えて、磁気検出手段が、複数の磁気センサを単一の基板に配置して構成されるので、複数の磁気センサを備えた磁気検出手段を単一のユニットとして取り扱うことができ、弾球遊技機の製造時又は保守時の磁気検出手段の取り扱いを極めて容易にすることができる。
【００１４】
請求項３に記載の弾球遊技機によれば、上記請求項１又は請求項２に記載の発明の効果に加えて、磁気検出手段が、指向性の方向がそれぞれ略直交するように配置される３つの磁気センサを備えて構成されるので、略全方向の磁界を検出可能な磁気検出手段を備えた弾球遊技機を提供することができる。
【発明を実施するための最良の形態】
【００１５】
以下、本発明に係る弾球遊技機の一実施形態として、遊技店舗に設置されるパチンコ機１を例に説明する。ここで、図１はパチンコ機１の正面図である。
【００１６】
パチンコ機１は、遊技者が発射ハンドル３０を回動操作して遊技球発射装置を作動させ、遊技球を遊技盤１０のガイドレール１１により画定される遊技領域に打ち出しつつ遊技を行うものである。例えば始動チャッカー（始動入賞口、抽選入賞口）１４に遊技球が入球することで、アタッカー（大入賞口）１６の開閉に関する抽選を行い、この抽選の結果が当選状態、いわゆる大当たりが発生した状態で開成するアタッカー１６に入球した遊技球に対応する数の遊技球を払い出すように構成されている。この大当たりには、抽選の結果に基づいて選択される「通常大当たり」や「確率変動大当たり」などの種類があり、例えば確率変動大当たりの際には、上述の始動チャッカー１４に入賞した際の抽選における大当たりの確率が高くなるとともに、次に大当たりに当選するまでの間、始動チャッカー１４に配設された電動役物（電動チューリップ）が開閉動作し、遊技者に有利な付加価値を付与し得る特別遊技状態となる。
【００１７】
図１に示すように、パチンコ機１は、合成木板からなり開口部を有する矩形枠状の外枠２と、この外枠２に上下のヒンジ機構を介して開閉可能に装着された前枠３とを備えており、前枠３の前面には、２枚の透明ガラス４ａ、４ｂを有するガラス枠が開閉可能に取付けられている。前枠３の上部には照明演出装置５が配設され、右側には前枠３を開放する際に鍵を差し込む鍵穴６配設がされている。透明ガラス４ａ、４ｂの奥側には遊技盤１０が配置されている。遊技盤１０の中央部には、液晶表示装置等による変動図柄表示装置１２を備えたセンター役物１３が配設され、このセンター役物１３の下方には、遊技球の入賞により大当たり抽選が行われる変動図柄の始動チャッカー１４が配設されている。始動チャッカー１４の左右には、複数の一般入賞口１５が配設され、始動チャッカー１４の下方には大当たり当選時に開成するアタッカー１６が配設されている。また、遊技盤１０には、適宜、普通電動役物を作動させる契機となる遊技球通過ゲート１７や遊技球の流路に変化を与える風車１８等が配設され、左右には視覚的演出効果を奏する照明演出装置１９が配設されている。また、遊技盤１０には図示しない多数の障害釘が打設されている。
【００１８】
前枠３における下部中央、即ちガラス枠の下方中央には、遊技球の受皿２０ａを有する上皿ユニット２０と、上皿から溢れた遊技球の受皿２５ａを有する下皿ユニット２５とが上下二段に設けられている。上皿ユニット２０における左上部には、賞球及び貸球を含む遊技球が供給される球供給口２１が設けられている。
【００１９】
球供給口２１の奥側には、上段の受皿２０ａに遊技球が満たされている場合に溢れた遊技球を、下段の下皿ユニット２５の受皿２５ａへ導く導通路（図示せず）が設けられている。上段の受皿２０ａで溢れた遊技球は、この導通路を経由して下段の受皿２５ａに排出される。また、下皿ユニット２５には、レバー２７が設けられており、このレバー２７を横方向にスライドすると、受皿２５ａの底部分にあるスライド板が開いて、受皿２５ａ内の遊技球が下方に排出される。
【００２０】
前枠３における下皿ユニット２５の右側には、遊技者の操作に基づき遊技球発射装置に指令信号を出力する発射ハンドル３０と、この発射ハンドル３０の奥側に、遊技球を遊技盤１０の遊技領域に向けて打ち出す遊技球発射装置（図示せず）とが設けられている。また、下皿ユニット２５の左側には、遊技者の喫煙の用に供するための灰皿２６が配置されている。
【００２１】
図２は本発明に係る磁気検出手段となる磁気検出器を構成する磁気センサを示す図であり、上段は磁気センサ（磁気検知用リードスイッチ）５０の断面図、中段は磁気センサ５０が収納される保護ケース６０の断面図及び側面図、下段は磁気センサ５０を保護ケース６０に収納した磁気センサユニット７０の断面図である。
【００２２】
図２において、磁気センサ５０は、不活性ガスとともに円筒状のガラス管５１に封入され、それぞれの先端部分が微小な空隙を介して対向する一対の磁気検出片５２ａ、５２ｂと、これら磁気検出片５２ａ、５２ｂに接続されたリード線５３ａ、５３ｂを備えている。ガラス管５１は、長さが１０ｍｍ程度、外径が２ｍｍ程度と極めて小型に構成されており、かつ、安価である。
【００２３】
図２の中段に示す磁気センサ５０の保護ケース６０は、一方が開口した矩形の箱状に形成され、磁気センサ５０を収納する収納凹部６１と、長手方向の両側面には磁気センサ５０が保護ケース６０に収納されるときに磁気センサ５０のリード線５３ａ、５３ｂを外部に引き出すための切欠き６２ａ、６２ｂが形成されている。この保護ケース６０は、例えば、硬質プラスチック等を成型加工して形成される。
【００２４】
図２の下段は、上記磁気センサ５０を保護ケース６０に収納して磁気センサユニット７０としたときの断面図である。図２に示す状態においては、図６（ａ）で説明したように、磁気センサユニット７０は、図中の上下方向に鎖交する磁界（磁力線）に指向性を有している。
【００２５】
図３は、本発明に係るパチンコ機１の遊技盤１０に配置される磁気検出手段としての磁気検出器８０の構成例を示す斜視図である。図３に示すように本実施形態における磁気検出器８０は、単一の回路基板８１に３つの磁気センサユニット７０Ａ、７０Ｂ及び７０Ｃと、２本のリード線８３ａ、８３ｂを有するコネクタ８２が接続されて構成されている。磁気検出器８０が単一の基板８１上にユニット化されて構成さているので、磁気検出器８０の取り扱いが極めて容易となる。なお、図示はしていないが、３つの磁気センサユニット７０Ａ、７０Ｂ、７０Ｃを覆う保護部材を基板８１に取付けるように構成しても良い。そして３つの磁気センサユニット７０Ａ、７０Ｂ、７０Ｃは、指向性の方向がそれぞれ略直交するように、指向性の方向をそれぞれ異ならせて配置されている。
【００２６】
即ち、全ての磁気センサユニット７０Ａ、７０Ｂ、７０Ｃは、図２の下段に示すように、保護ケース６０の開口面に略垂直な方向に磁界検出の指向性を有しており、図３において一番手前側に横置きに配置されている磁気センサユニット７０Ａは、矢符Ｙで示す基板８１の短手方向に鎖交する磁界に指向性を有し、真中に横置きに配置されている磁気センサユニット７０Ｂは、矢符Ｚで示す基板８１の面に略垂直な方向に鎖交する磁界に指向性を有し、一番奥側に縦置きに配置されている磁気センサユニット７０Ｃは、矢符Ｘで示す基板８１の長手方向に鎖交する磁界に指向性を有している。このように磁気センサユニット７０Ａ、７０Ｂ、７０Ｃを配置することにより、磁気検出器８０に鎖交（作用）する略全方向（矢符Ｘ、Ｙ、Ｚ方向）の磁界を何れかの、或いは複数の磁気検出ユニット７０Ａ等によって検出することが可能になる。
【００２７】
なお、図３に示す実施形態においては、基板８１の長手方向に鎖交する磁界に指向性を有する磁気センサユニット７０Ｃを縦置きに配置しているが、指向性の方向を変えずに横置きにして構成しても良い。その場合、磁気検出器８０を薄型に構成することができる。さらに、手前に横置きに配置されている磁気センサユニット７０Ａを、指向性の方向を変えずに真中に配置されている磁気センサユニット７０Ｂの奥側に縦置きに配置されている磁気センサユニット７０Ｃと並べるように縦置きに配置しても良い。その場合、磁気検出器８０の回路基板８１を小さくすることができる。この他、基板８１の両面を利用して磁気検出器８０を小型化することもできる。また、磁気検出器８０を構成する磁気センサユニット７０の数は３つに限らず、２つ或いは４つ以上で構成しても良いし、保護ケース６０は本発明に必須の構成部材ではない。
【００２８】
図４（ａ）は、本実施形態に係る磁気検出器８０の回路図の一例を示す図である。図３に示すコネクタ８２の一方のリード線８３ａには外部の電源Ｐから一定の電位が印加され、検出信号の出力調節用の抵抗器Ｒを介して３つの磁気センサユニット７０Ａ、７０Ｂ、７０Ｃの磁気センサ５０が並列に接続され、コネクタ８２の他方のリード線８３ｂに接続されている。この磁気検出器８０は、周囲に遊技球を吸引するほどの磁界が鎖交していない状態では、全ての磁気センサ５０はＯＦＦ状態で検出信号は出力されない。磁気検出器８０に何れかの方向から磁界が鎖交すると、磁気検出器８０の何れかの磁気センサ５０がＯＮ状態となり、リード線８３ｂから検出信号が出力される。この検出信号は、遊技店舗のホールコンピュータへの通報、パチンコ機１の変動図柄表示装置１２へのエラー表示や警告音の放音、遊技球発射装置及び賞球払出装置の停止等に利用することができる。
【００２９】
図４（ｂ）は、本発明に係る磁気検出器８０の他の実施形態を示す回路図である。本実施形態においては、各磁気センサ７０Ａ、７０Ｂ、７０Ｃにそれぞれ個別に出力端子８３Ａ、８３Ｂ、８３Ｃを設けている。このように構成することにより、不正な磁束がどの方向から鎖交（作用）しているのかを検知することができる。
【００３０】
図５は、磁気検出器８０の遊技盤１０への取り付け位置を説明するためのパチンコ機１の始動チャッカー１４付近の部分断面図である。図中符号４ａ、４ｂは遊技盤１０の前面側に配置されている透明ガラスを示している。
【００３１】
磁気検出器８０を遊技盤１０のどこに取り付けるかは勿論任意であるが、特に効果的な取付位置の１つとしては、図中Ｃで示す始動チャッカー１４の近傍上部に取りつけることが望ましい。また、図中Ｄに示すように遊技盤１０の裏面に取付凹部を形成して磁気検出器８０を埋設するようにしても良いし、図中Ｅに示すように遊技盤の前面側に飾り部品等に隠す等して配置して、不正を行う磁石との距離を短くするように構成しても良い。また、１台のパチンコ機１に複数の磁気検出器８０を配設することもできる。
【００３２】
以上説明したように、本実施形態のパチンコ機１によれば、磁石による不正行為を検知するための磁気検出手段を備えた弾球遊技機遊技機において、磁気検出手段（磁気検出器８０）が、磁界の検出方向に指向性を有する複数（例えば、３つ）の磁気センサ５０を備え、これら複数の磁気センサ５０の指向性の方向をそれぞれ異ならせて配置されているので、安価で小型な磁気センサ５０を用いて多様な方向の磁界を検出することができる磁気検出手段を備えた弾球遊技機を提供することができる。
【００３３】
また、磁気検出手段（磁気検出器８０）が、複数の磁気センサ５０を単一の基板８１に配置して構成することができるので、複数の磁気センサ５０を備えた磁気検出手段を単一のユニットとして取り扱うことができ、弾球遊技機の製造時又は保守時の磁気検出手段の取り扱いを極めて容易にすることができる。
【００３４】
さらに、磁気検出手段（磁気検出器８０）が、指向性の方向がそれぞれ略直交するように配置される３つの磁気センサ５０を備えて構成することができるので、略全方向の磁界を検出可能な磁気検出手段を備えた弾球遊技機を提供することができる。
なお、本発明は、上記したパチンコ機１に限らず、回胴式遊技機及び雀球遊技機やアレンジボール遊技機にも適用することができる。
【図面の簡単な説明】
【００３５】
【図１】本発明に係る弾球遊技機の一実施形態であるパチンコ機の正面図である。
【図２】本発明の一実施形態における磁気センサ、保護ケース及び磁気センサユニットの断面図である。
【図３】本発明の一実施形態における磁気検出器の斜視図である。
【図４】本発明の一実施形態における磁気検出器の回路図である。
【図５】本発明の一実施形態における磁気検出器の遊技盤への取付位置を説明するための部分断面図である。
【図６】従来及び本発明の一実施形態における磁気センサの動作を説明するための図である。
【符号の説明】
【００３６】
１・・・パチンコ機
２・・・外枠
３・・・前枠
４ａ、４ｂ・・・透明ガラス
５、１９・・・照明演出装置
６・・・鍵穴
１０・・・遊技盤
１１・・・ガイドレール
１２・・・変動図柄表示装置
１３・・・センター役物
１４・・・始動チャッカー
１５・・・一般入賞口
１６・・・アタッカー
１７・・・遊技球通過ゲート
１８・・・風車
２０・・・上皿ユニット
２０ａ、２５ａ・・・受皿
２１・・・球供給口
２５・・・下皿ユニット
２６・・・灰皿
２７・・・レバー
５０・・・磁気センサ（磁気検知用リードスイッチ）
５１・・・ガラス管
５２ａ、５２ｂ、１００ａ、１００ｂ・・・磁気検出片
５３ａ、５３ｂ、８３ａ、８３ｂ・・・リード線
６０・・・保護ケース
６１・・・収納凹部
６２ａ、６２ｂ・・・切欠き
７０、７０Ａ、７０Ｂ、７０Ｃ・・・磁気センサユニット
８０・・・磁気検出器（磁気検出手段）
８１・・・基板（回路基板）
８２・・・コネクタ
【図１】
2009022544.tif 000003
【図２】
2009022544.tif 000004
【図３】
2009022544.tif 000005
【図４】
2009022544.tif 000006
【図５】
2009022544.tif 000007
【図６】
2009022544.tif 000008